(57)【要約】      （修正有）【課題】表面に円錐状の磁石が設けられることにより、高い利便性を有し、優れたマッサージ効果を得ることかできる健康ボールを提供する。【解決手段】ボール本体１０を有し、該ボール本体の表面に円錐状の磁石２０が設けられ、該磁石は、ボール本体の外側から突出することを特徴とする健康ボールを提供する。【選択図】図１
0003131395.tif 000002
【実用新案登録請求の範囲】
【請求項１】
ボール本体を有し、該ボール本体の表面に円錐状の磁石が設けられ、該磁石は、ボール本体の外側から突出することを特徴とする健康ボール。
【請求項２】
前記ボール本体の内部が中実状であることを特徴とする請求項１に記載の健康ボール。
【請求項３】
前記ボール本体の内部が中空状であることを特徴とする請求項１に記載の健康ボール。
【請求項４】
前記ボール本体が２つの半球体からなることを特徴とする請求項２または請求項３に記載の健康ボール。
【請求項５】
前記各半球体にそれぞれ、対応し合う環状の接合部が設けられ、該一方の接合部は、半分が凹部で、残りの半分が凸部であり、他方の接合部は、半分が前記一方の接合部の凹部と対応する凸部であり、残りの半分が前記一方の接合部の凸部と対応する凹部であることを特徴とする請求項４に記載の健康ボール。
【請求項６】
前記ボール本体の表面に前記磁石を固定するための固定凸部が設けられることを特徴とする請求項１に記載の健康ボール。
【請求項７】
前記磁石における、固定凸部と対応する位置に係止リングが設けられることを特徴とする請求項６に記載の健康ボール。
【請求項８】
前記固定凸部の中央に孔が形成されることを特徴とする請求項６に記載の健康ボール。
【考案の詳細な説明】
【技術分野】
【０００１】
本考案は、特に表面に円錐状の磁石が設けられることにより、高い利便性を有し、優れたマッサージ効果を提供できる健康ボールに関するものである。
【背景技術】
【０００２】
一般の健康療養には、食事療法以外に、様々な健康道具により、健康を維持する方法もあり、その一つが磁石からなる健康器具である。
【考案の開示】
【考案が解決しようとする課題】
【０００３】
しかしながら、前記従来の、磁石からなる健康器具は、磁石を服や寝具などに取り付けることにより用いるものであるので、服や寝具を使用している時にしか、その効果を得ることができない。
【０００４】
また、着用感を向上させるために、従来の、磁石からなる健康器具に取り付けられる磁石は扁平状であるので、磁石の磁気による効果はあるものの、つぼや筋肉に確実に刺激を与えることはできない。
【０００５】
そこで、案出されたのが本考案であって、使用時間及び使用場所を問わず、つぼや筋肉に確実に刺激を与えられる健康ボールを提供することを目的としている。
【課題を解決するための手段】
【０００６】
本願の請求項１の考案は、ボール本体を有し、該ボール本体の表面に円錐状の磁石が設けられ、該磁石は、ボール本体の外側から突出することを特徴とする健康ボール、を提供する。
【０００７】
本願の請求項２の考案は、前記ボール本体の内部が中実状であることを特徴とする請求項１に記載の健康ボール、を提供する。
【０００８】
本願の請求項３の考案は、前記ボール本体の内部が中空状であることを特徴とする請求項１に記載の健康ボール、を提供する。
【０００９】
本願の請求項４の考案は、前記ボール本体が２つの半球体からなることを特徴とする請求項２または請求項３に記載の健康ボール、を提供する。
【００１０】
本願の請求項５の考案は、前記各半球体にそれぞれ、対応し合う環状の接合部が設けられ、該一方の接合部は、半分が凹部で、残りの半分が凸部であり、他方の接合部は、半分が前記一方の接合部の凹部と対応する凸部であり、残りの半分が前記一方の接合部の凸部と対応する凹部であることを特徴とする請求項４に記載の健康ボール、を提供する。
【００１１】
本願の請求項６の考案は、前記ボール本体の表面に前記磁石を固定するための固定凸部が設けられることを特徴とする請求項１に記載の健康ボール、を提供する。
【００１２】
本願の請求項７の考案は、前記磁石における、固定凸部と対応する位置に係止リングが設けられることを特徴とする請求項６に記載の健康ボール、を提供する。
【００１３】
本願の請求項８の考案は、前記固定凸部の内側に孔が形成されることを特徴とする請求項６に記載の健康ボール、を提供する。
【考案の効果】
【００１４】
本考案は上記の課題を解決するものであり、表面に円錐状の磁石が設けられる健康ボールを手で握り、或いは皮膚に接触させ、即ち、該磁石を直接につぼや筋肉に接触させることで、優れた刺激効果とマッサージ効果を提供できるので、使用利便性や実用性に優れている。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る健康ボールの分解斜視図であり、図２は本考案に係る健康ボールの斜視図であり、図３は本考案に係る健康ボールの断面図であり、図４は本考案に係る健康ボールの使用状態を示す斜視図である。
【００１７】
図１に示すように、本考案の健康ボールは、中空状或いは中実状のボール本体（１０）を有し、その内、中空状のボール本体（１０）は、２つの半球体（１１）からなり、該各半球体（１１）に環状の接合部（１２）が設けられ、該一方の接合部（１２）は、半分が凹部（１３）で、残りの半分が凸部（１４）であり、他方の接合部（１２）は、半分が前記一方の接合部（１２）の凹部（１３）と対応する、即ち接合し合う凸部（１４）であり、残りの半分が前記一方の接合部（１２）の凸部（１４）と対応する、即ち接合し合う凹部（１３）である。これからも分かるように、前記２つの半球体（１１）は通常、接合により球体とするが、該２つの半球体（１１）を接合させる方法は、該ボール本体（１０）の材料により決定され、該ボール本体（１０）の材料が金属である場合には、溶接の手段を用い、一方、該ボール本体（１０）の材料がプラスチック類である場合には、高周波或いは接着剤により該２つの半球体（１１）を接合させる。
【００１８】
また、図2及び図3に示すように、本考案は、ボール本体（１０）の表面に複数の環状の固定凸部（１５）が設けられ、該固定凸部（１５）の中央に更に、ボール本体（１０）の内部まで貫通する孔（１５１）が形成されてもよく、該各固定凸部（１５）上に、底部に固定凸部（１５）と対応する係止リング（２１）を有する円錐状の磁石（２０）が設けられ、該係止リング（２１）が固定凸部（１５）に係止されることにより、磁石（２０）が固定凸部（１５）に固定される。尚、前記孔（１５１）が形成されている場合には、該孔（１５１）を通じて、該磁石（２０）と他の磁石（２０）が互いにエネルギーを伝送することができる。
【００１９】
図4に示すように、本考案を使用する時は、手で健康ボールを握りながら回転させることにより、磁石（２０）の磁場エネルギーを体の中に吸収させる。さらに、該健康ボールは、前記のような小型で、携帯しやすい構造であることから、何時でも何処でも使用することができるので、時間や場所に制限されないと共に、優れた利便性を有する。また、該健康ボールを直接肌に接触させ、磁気エネルギーによる刺激効果を得ることも可能であると共に、前記ボール本体（１０）の表面に設けられる円錐状の磁石（２０）を直接つぼや筋肉の箇所に接触させたり、押し付けたりして、つぼ又は筋肉に刺激を与えることにより、更なるマッサージ効果を得ることができる。
【産業上の利用可能性】
【００２０】
本考案は上記の構成を有するので、高い利便性を有し、優れたマッサージ効果を提供できる健康ボールを提供できる。
【図面の簡単な説明】
【００２１】
【図１】本考案に係る健康ボールの分解斜視図である。
【図２】本考案に係る健康ボールの斜視図である。
【図３】本考案に係る健康ボールの断面図である。
【図４】本考案に係る健康ボールの使用状態を示す斜視図である。
【符号の説明】
【００２２】
１０        ボール本体
１１        半球体
１２        接合部
１３        凹部
１４        凸部
１５        固定凸部
１５１      孔
２０        磁石
２１        係止リング
【図１】
0003131395.tif 000003
【図２】
0003131395.tif 000004
【図３】
0003131395.tif 000005
【図４】
0003131395.tif 000006